(57)【要約】【課題】  構造の簡素化を図ることのできる安価な個人住宅用の耐震パッドを提供する。【解決手段】  個人住宅の基礎１と土台２の間に間隔をおいて介在される上下一対の耐震マット１０と、一対の耐震マット１０の間に介在される弾性耐震体２０とを備え、各耐震マット１０の露出面に、六角ナット１１を嵌合収納する円筒形の突起１２・１２Ａを立設し、突起１２・１２Ａに嵌入収納された六角ナット１１にアンカーボルト１３又は六角ボルト１４を着脱自在に螺挿する。そして、弾性耐震体２０を、一対の耐震マット１０の上下間に並べて介在される複数の耐震ゴム２１と、各耐震ゴム２１に貼着される補強板２２とから構成する。構成の簡易な同一構成の耐震パッドを並べるだけで良いので、構造の簡素化を図ることができる。【選択図】  図１
2005282207.tif 000002
【特許請求の範囲】
【請求項１】
個人住宅に取り付けられて地震エネルギを吸収する個人住宅用の耐震パッドであって、
個人住宅の基礎と土台との間に間隔をおいて介在される一対の耐震マットと、この一対の耐震マットの間に設けられる弾性耐震体とを備え、
各耐震マットの露出面に、雌螺子部材を収納する突起を設け、この突起に収納された雌螺子部材に雄螺子部材を着脱自在に螺子嵌めするようにし、
弾性耐震体を、一対の耐震マットの上下間に並べて介在される複数の耐震ゴムと、耐震ゴムに貼り着けられる補強板とから構成したことを特徴とする個人住宅用の耐震パッド。
【請求項２】
下方の耐震マットの露出面に、ナットを収納する突起を設け、この突起に収納されたナットに、個人住宅の基礎に固定されるアンカーボルトを螺子嵌めした請求項１記載の個人住宅用の耐震パッド。
【請求項３】
上方の耐震マットの露出面に、ナットを収納する突起を設け、この突起に収納されたナットに、個人住宅の土台を貫通するボルトを螺子嵌めした請求項１又は２記載の個人住宅用の耐震パッド。
【発明の詳細な説明】
【技術分野】
【０００１】
本発明は、個人住宅に設置されて地震エネルギ、特に横揺れを吸収する個人住宅用の耐震パッドに関するものである。
【背景技術】
【０００２】
近年、地震や震災に伴う人的被害や経済的損失等に鑑み、高層建築物のみならず、個人住宅にも優れた耐震構造が要求されている（特許文献１参照）。この個人住宅用の耐震構造としては、図示しないが、例えば個人住宅の地盤と構造体との間に、スライダーとゴム複合層とを並べて介在させる構造が知られている（特許文献２参照）。
【特許文献１】特開平１０−１８４０９６号公報
【特許文献２】特開２００３−２１３９６１号公報
【発明の開示】
【発明が解決しようとする課題】
【０００３】
従来における個人住宅用の耐震構造は、以上のように個人住宅の地盤と構造体との間にスライダーとゴム複合層とを並べているが、これでは建物を支える土台を鉄骨としなければならず、工事が非常に大掛かりになるという大きな問題がある。また、部品点数が多くなり、構造が実に複雑化するという問題もある。さらに、住宅の購入金額が著しく高価になるので、資金の豊富な法人の購入の場合はともかく、個人の購入の場合には大きな問題となり、住宅購入意欲の萎縮を招くおそれが少なくない。
【０００４】
本発明は上記に鑑みなされたもので、構造の簡素化を図ることのできる安価な個人住宅用の耐震パッドを提供することを目的としている。
【課題を解決するための手段】
【０００５】
本発明においては上記課題を解決するため、個人住宅に取り付けられて地震エネルギを吸収するものであって、
個人住宅の基礎と土台との間に間隔をおいて介在される一対の耐震マットと、この一対の耐震マットの間に設けられる弾性耐震体とを備え、
各耐震マットの露出面に、雌螺子部材を収納する突起を設け、この突起に収納された雌螺子部材に雄螺子部材を着脱自在に螺子嵌めするようにし、
弾性耐震体を、一対の耐震マットの上下間に並べて介在される複数の耐震ゴムと、耐震ゴムに貼り着けられる補強板とから構成したことを特徴としている。
【０００６】
なお、下方の耐震マットの露出面に、ナットを収納する突起を設け、この突起に収納されたナットに、個人住宅の基礎に固定されるアンカーボルトを螺子嵌めすることができる。
また、上方の耐震マットの露出面に、ナットを収納する突起を設け、この突起に収納されたナットに、個人住宅の土台を貫通するボルトを螺子嵌めすることができる。
【０００７】
ここで、特許請求の範囲における基礎には、独立基礎やベタ基礎が含まれる。土台に接触する耐震マットの接触面には、通気や排水機能を営む単数複数の溝を縦方向、横方向、あるいは縦横方向等に適宜凹み形成することができる。また、弾性耐震体は、被覆ゴムによりカバーして耐震ゴムと補強板の接着性低下を抑制するようにしても良い。
【０００８】
突起は、所定のエラストマーや金属等を使用して円筒形、角筒形、多角形の筒形等に形成され、耐震マットと一体化、あるいは別体として構成される。この突起は、６本、８本、１０本等、複数本とすることができ、しかも、耐震マットとの間にＲを適宜設けることができる。さらに、アンカーボルトには、各種のタイプが含まれ、少なくとも直線的な螺子棒や略Ｊ字形等のタイプが含まれる。
【０００９】
本発明によれば、個人住宅の基礎が揺れ、基礎と土台とが水平方向に変位すると、雄螺子部材が土台の浮き上がりを抑制するとともに、一対の耐震マットに挟まれた弾性耐震体を構成する複数の耐震ゴムが横方向への大きな動作を補強板に規制されながら変形し、個人住宅に加わる揺れを減衰したり、吸収する。
【発明の効果】
【００１０】
本発明によれば、構造の簡素化を図ることのできる安価な個人住宅用の耐震パッドを提供することができるという効果がある。
【発明を実施するための最良の形態】
【００１１】
以下、図面を参照して本発明の好ましい実施の形態を説明すると、本実施形態における個人住宅用の耐震パッドは、図１ないし図３に示すように、個人住宅の基礎１と土台２との間に間隔をおいて介在される上下一対の耐震マット１０と、この一対の耐震マット１０の間に介在される弾性耐震体２０とを備え、地震エネルギを吸収する。
【００１２】
個人住宅（独立住宅、一戸建住宅、戸建住宅ともいう）は、図１に示すように、コンクリートにより打設された横断面矩形の基礎１上に、木製の角材からなる土台２が搭載され、この土台２上に図示しない大引きや根太等が支持される。土台２には、建築作業前あるいは建築作業時に貫通孔３がドリル等により穿孔される。
【００１３】
一対の耐震マット１０は、図２や図３に示すように、上下方向に間隔をおいて離隔され、各耐震マット１０が所定のゴムや金属を使用して基礎１や土台２と同じ大きさに成形されており、広い接触面積を確保する。各耐震マット１０は、例えば弾性や機械的性質に優れ、振動による発熱の少ない天然ゴム、耐老化性や耐油性に優れるクロロプレンゴム、エチレン−プロピレンゴム、アクリロニトリル−ブタジエンゴム等を使用して平面長方形の板に形成される。
【００１４】
下方の耐震マット１０の露出面である裏面中央部には、六角ナット１１を嵌合収納する円筒形の突起１２が下方向に立設され、この突起１２内に回転しないように収納された六角ナット１１に、未硬化の基礎１に埋没固定されるアンカーボルト１３が着脱自在に螺挿される。また、上方の耐震マット１０の露出面である表面中央部には、六角ナット１１を嵌合収納する円筒形の突起１２Ａが上方向に立設され、この突起１２Ａ内に回転不能に収納された六角ナット１１に、土台２の貫通孔３を貫通する六角ボルト１４が着脱自在に螺挿される。
【００１５】
弾性耐震体２０は、図３に示すように、一対の耐震マット１０の上下間に並べて介在積層される複数枚の耐震ゴム２１と、この上下方向に並ぶ複数枚の耐震ゴム２１それぞれに貼着される薄い補強板２２とから略サンドイッチ構造に構成され、水平変形能力を有している。複数枚の耐震ゴム２１と補強板２２とは、水平方向に指向した状態で上下方向に交互に積層される。各耐震ゴム２１は、例えば弾性や機械的性質に優れる天然ゴムやシリコーンゴム等を使用して平面長方形の薄板状に成形される。
【００１６】
各補強板２２は、所定の樹脂材料や金属板、鋼板、錆に強いＳＵＳ等を用いて耐震ゴム２１と同じ大きさに形成され、接着された耐震ゴム２１の横方向への動きを規制して鉛直方向に対して大きな剛性（ばね定数）を確保するよう機能する。
【００１７】
上記構成において、耐震パッドを設置する場合には、先ず、複数の耐震パッドの突起１２にアンカーボルト１３をそれぞれきつく螺嵌し、未硬化の基礎１の長手方向に複数の耐震パッドを間隔をおいて一列に並べるとともに、基礎１を養生させてこれと埋没した複数の突起１２とアンカーボルト１３とを一体化し、土台２に穿孔しておいた貫通孔３に六角ボルト１４を挿入して各耐震パッドの突起１２Ａに嵌合収納された六角ナット１１にきつく螺嵌すれば、耐震パッドを設置することができる（図１参照）。
【００１８】
個人住宅の完成後、地震が発生して基礎１が振動すると、上下方向に長く伸びるアンカーボルト１３や六角ボルト１４が土台２の浮き上がりを抑制し、弾性耐震体２０の耐震ゴム２１が個人住宅の荷重を支持しつつ、柔らかくせん断変形して個人住宅に加わる横揺れを有効に減衰吸収する。
【００１９】
上記構成によれば、構成の異なるスライダーとゴム複合層とを並設したり、上下一対の耐震マット１０の間に複数の弾性円柱体を間隔をおいて一体的に並設するのではなく、構成の簡易な同一構成の耐震パッドを並べるだけで良いので、工事の省力化を図ることができるとともに、構造の著しい簡素化を図ることができる。また、従来耐震用に要した数百万のコストを八十万円以下、条件次第では五十万円以下の安価にでき、コスト削減を通じて個人住宅建設や購入意欲を萎縮させることなく、優れた耐震構造を実現することができる。
【００２０】
また、複数枚の耐震ゴム２１と補強板２２とが積層構造なので、鉛直剛性が大きく、大きな荷重を支持することができ、しかも、水平方向には、ゴム特有の柔らかい剛性と大変形性を得ることができる。また、アンカーボルト１３や六角ボルト１４が固定ではなく、着脱自在なので、必要に応じ、ボルトの長さを長くしたり、短くして作業の便宜を図ることができる。
【００２１】
また、アンカーボルト１３や六角ボルト１４を自由に取り外すことができるので、これら１３・１４が耐震パッドの輸送時や搬送時等に邪魔になることが全くない。さらに、耐震マット１０や弾性耐震体２０にアンカーボルト１３用の通し孔を穿孔する必要が全くないので、耐震パッドの構成の簡素化が大いに期待できる。
【００２２】
次に、図４、図５は本発明の第２の実施形態を示すもので、この場合には、上下一対の耐震マット１０をそれぞれ円板形に形成し、この一対の耐震マット１０の間に介在される弾性耐震体２０を円柱形に形成するようにしている。その他の部分については、上記実施形態と同様であるので説明を省略する。
本実施形態においても上記実施形態と同様の作用効果が期待でき、しかも、耐震パッドの形状を矩形に限定するものではないから、耐震パッドの形状の多様化を図ることができるのは明らかである。
【００２３】
なお、各耐震マット１０を矩形、多角形、楕円形等に形成し、この耐震マット１０の形状に応じて弾性耐震体２０の形状を変更することができる。また、上記実施形態では硬質ゴム製の突起１２を単に示したが、突起１２の周面にエンドレスの取付溝を周方向に切り欠き、この取付溝に未硬化のコンクリートを充填すれば、基礎１との強固な連結固定が期待できる。
【００２４】
また、突起１２・１２Ａは、個人住宅の大きさ、強度や固定度等に応じ、長く形成したり、短く形成でき、しかも、本数を増減することが可能である（例えば、各面に４本以上）。さらに、突起１２・１２Ａに六角ナット１１を取り外し不能に嵌入固定しても良いし、六角ナット１１を取り外し可能に嵌入しても良い。
【図面の簡単な説明】
【００２５】
【図１】本発明に係る個人住宅用の耐震パッドの実施形態における個人住宅の基礎と土台との間に耐震パッドを設置した状態を示す断面説明図である。
【図２】本発明に係る個人住宅用の耐震パッドの実施形態を示す斜視説明図である。
【図３】本発明に係る個人住宅用の耐震パッドの実施形態を示す正面図である。
【図４】本発明に係る個人住宅用の耐震パッドの第２の実施形態を示す斜視説明図である。
【図５】本発明に係る個人住宅用の耐震パッドの第２の実施形態を示す正面図である。
【符号の説明】
【００２６】
１          基礎
２          土台
１０        耐震マット
１１        六角ナット（雌螺子部材、ナット）
１２        突起
１２Ａ      突起
１３        アンカーボルト（雄螺子部材）
１４        六角ボルト（雄螺子部材、ボルト）
２０        弾性耐震体
２１        耐震ゴム
２２        補強板
【図１】
2005282207.tif 000003
【図２】
2005282207.tif 000004
【図３】
2005282207.tif 000005
【図４】
2005282207.tif 000006
【図５】
2005282207.tif 000007